(57)【要約】【課題】本考案は、簡単な構成にて低コスト化を実現でき、塗布作業性の良い窯業系サイディング補修塗料塗布具を提供する。【解決手段】窯業系サイディング補修塗料塗布具１は、塗料を収納する可撓性材で成る容器２と、容器２の塗料を染み出させて壁面に塗料を塗布する塗布ヘッド１０とを備える。塗布ヘッド１０は、容器２に装着される中間キャップ３と、中間キャップ３の先端側に装着されるトップキャップ４と、中間キャップ３とトップキャップ４の先端側に固定される塗布芯５とを備える。容器２は、指の押圧力で塗料が塗出するような柔らかさを有し、押圧力の解除によって、容器２が元の形状に戻るような硬さを有する。作業者は容器２を片手で持って容器２を押さえるだけで塗布することができる。【選択図】図１
0003218499.tif 000002
【実用新案登録請求の範囲】
【請求項１】
壁面に塗料を塗布するために用いられる窯業系サイディング補修塗料塗布具において、
塗料を収納する可撓性材で成る容器と、
前記容器の開口に着脱自在に装着され、先端側に開口を有した中間キャップと、
前記中間キャップの先端側に装着され、先端側に開口を有したトップキャップと、
一部が露出した状態で前記中間キャップとトップキャップとの間に挟み込まれて固定される塗布芯と、を備えていることを特徴とする窯業系サイディング補修塗料塗布具。
【請求項２】
前記塗布芯は、多数の合成複合繊維を用いたファイバ束から成り、前記塗布芯の一端は前記中間キャップの開口の周囲にばらけて配置され、かつ、前記中間キャップの外周部に設けられた段部に係止され、前記塗布芯の他端側の一部が前記トップキャップの開口より露出した状態に保たれることを特徴とする請求項１に記載の窯業系サイディング補修塗料塗布具。
【請求項３】
前記中間キャップの外周に先端側が径小となるテーパ面を有し、前記トップキャップの内周に先端側が径小となるテーパ面を有し、前記中間キャップに前記トップキャップが装着されたとき前記両テーパ面が当接され、このテーパ面を通して塗料が漏出しないようにしたことを特徴とする請求項１または請求項２に記載の窯業系サイディング補修塗料塗布具。
【請求項４】
前記トップキャップの開口は、先端側が径大となるテーパ面を有することを特徴とする請求項１乃至請求項３のいずれか一項に記載の窯業系サイディング補修塗料塗布具。
【考案の詳細な説明】
【技術分野】
【０００１】
本考案は、建物等の壁面に塗料を塗布するために用いられる窯業系サイディング補修塗料塗布具に関する。
【背景技術】
【０００２】
家屋建物の外壁にサイディングを取り付けた際に、必要に応じてサイディングの表面に部分的に塗料を塗布して補修することが行われている。その補修において、従来では、塗布するための筆（塗布具）と塗料を入れた容器とが別になっているため、施工を行う職人は両手を塞がれてしまうので塗布作業の効率が悪い。
なお、塗布作業を行うための塗料塗布具の一例として、塗料が充填される本体内に軸方向摺動自在に挿入された可動部と、可動部を本体内の当接部に付勢する付勢部材とを備え、可動部に形成された流路の先端に、塗料を染み出す染出部を備えた補修用治具がある（例えば、特許文献１参照）。
【先行技術文献】
【特許文献】
【０００３】
【特許文献１】特開平１０−２３５２７２号公報
【考案の概要】
【考案が解決しようとする課題】
【０００４】
上述したような従来の塗布するための筆（塗布具）による塗布作業効率が悪い点を改善することが要請されていた。また、特許文献１に示されるような補修用治具においては、軸方向に摺動自在な可動部や付勢部材を備えるので、構造が複雑であり、高価なものとなり、実用には適さない。
【０００５】
本考案は、上記課題を解消するものであって、簡単な構成により、低コスト化を実現でき、施工職人が用いたときの塗布作業の軽減を図ることができる窯業系サイディング補修塗料塗布具を提供することを目的とする。
【課題を解決するための手段】
【０００６】
上記課題を達成するために、本考案の窯業系サイディング補修塗料塗布具は、壁面に塗料を塗布するために用いられる塗料塗布具において、塗料を収納する可撓性材で成る容器と、容器の開口に着脱自在に装着され、先端側に開口を有した中間キャップと、中間キャップの先端側に装着され、先端側に開口を有したトップキャップと、一部が露出した状態で中間キャップとトップキャップとの間に挟み込まれて固定される塗布芯と、を備えることを特徴とする。
【０００７】
上記塗料塗布具において、塗布芯は、多数の合成複合繊維を用いたファイバ束から成り、塗布芯の一端は中間キャップの開口の周囲にばらけて配置され、かつ、中間キャップの外周部に設けられた段部に係止され、塗布芯の他端側の一部がトップキャップの開口より露出した状態に保たれるようにしてもよい。
【０００８】
上記塗料塗布具において、中間キャップの外周に先端側が径小となるテーパ面を有し、トップキャップの内周に先端側が径小となるテーパ面を有し、中間キャップにトップキャップが装着されたとき両テーパ面が当接され、このテーパ面を通して塗料が漏出しないようにしてもよい。
【０００９】
上記塗料塗布具において、トップキャップの開口は、先端側が径大となるテーパ面を有してもよい。
【考案の効果】
【００１０】
本考案の窯業系サイディング補修塗料塗布具によれば、簡単な構造で低コストの塗布具を実現でき、施工職人が容器を片手で持って容器を押さえるだけで塗料を塗布することができ、塗布作業が軽減され、高い作業効率が得られる。
【図面の簡単な説明】
【００１１】
【図１】（ａ）は本考案の一実施形態に係る窯業系サイディング補修塗料塗布具の一部を透視した斜視図、（ｂ）は同塗料塗布具の一部断面を含む側面図。
【図２】（ａ）乃至（ｄ）は同塗料塗布具の組立手順を説明する側面図。
【図３】同塗料塗布具の主要部の断面図。
【図４】（ａ）乃至（ｃ）は同塗料塗布具の使用方法を説明する斜視図。
【図５】同塗料塗布具を用いて外壁に塗料を塗布する様子を示す斜視図。
【考案を実施するための形態】
【００１２】
以下、本考案の一実施形態に係る窯業系サイディング補修塗料塗布具について、図面を参照して説明する。図１（ａ）（ｂ）に示すように、窯業系サイディング補修塗料塗布具（以下、塗料塗布具という）１は、容器２と、容器２に装着される中間キャップ３と、中間キャップ３の先端側に装着されるトップキャップ４と、中間キャップ３とトップキャップ４の先端側に固定される塗布芯５と、を備える。中間キャップ３、トップキャップ４、および塗布芯５は、互いに組み合わされて一体化され、塗布ヘッド１０を構成する。塗布ヘッド１０は、容器２と組み合わされて、塗料塗布具１を構成する。
【００１３】
容器２は、塗料を収納する円筒形の容器であり、可撓性材で成り、その開口外周に雄ねじ２１を有する。容器２は、樹脂成形品であり、内容物の量が見えるように、例えば、透明または半透明が好ましい。容器２は、例えば、親指と人差し指との間に挟んで押さえると内容積が減少し、挟む力を緩めると元の形状に復帰するような弾力を有するものとされる。つまり、容器２は、指の押圧力で塗料が塗出するような柔らかさを有し、押圧力の解除によって、容器２が元の形状に戻るような硬さを有する。容器２は、例えば、樹脂（ＰＥ）のブロー成形品である。容器２には、塗料を攪拌するための攪拌球６を内部に備えてもよい。攪拌球６は、例えば、外径φ１０ｍｍ以下の金属球である。
【００１４】
中間キャップ３は、内部に雌ねじ３１を有する円筒形部分と、外径が段階的に小さくなる縮径部分とを有し、例えば、樹脂成形によって一体成形されている。雌ねじ３１は、容器２の雄ねじ２１に螺合するねじであり、中間キャップ３は、これらのねじによって、容器２の開口に着脱自在に装着される。縮径部分は、円筒形部分の開口に連通する塗料流出用の貫通孔を軸上に有し、先端側において開口３０を成す。中間キャップ３は、先端において開口３０を有する外径最小の円筒形となり、その円筒形の外径は、塗布芯５の外径よりも小さい。
【００１５】
トップキャップ４は、中心軸上に貫通孔を有する傘状体であり、先端側に開口４０を有し、中間キャップ３の先端側すなわち中間キャップ３の縮径部分の外側面を覆うように、中間キャップ３に装着される。開口４０を成す空間は、中間キャップ３の先端が挿入される空間であり、また、塗布芯５の下部が挿入される空間である。また、トップキャップ４を中間キャップ３に装着固定するため、トップキャップ４は、下部側の内部に周設された複数の係合用のスナップフィット爪４１を有し、中間キャップ３は、その縮径部分の外周に、スナップフィット爪４１が係合する鍔部３２を有している。
【００１６】
塗布芯５は、下部中央に凹部５０を有する柱状体であり、塗布芯５の軸方向に沿って液状の塗料が浸透するような、また、塗布芯５を中間キャップ３とトップキャップ４の先端に装着する際に軸方向に裂けてばらけるような、軸方向の構造を有する。塗布芯５は、例えば、複数本のポリプロピレン（ＰＰ）とポリエチレンテレフタレート（ＰＥＴ）との合成複合繊維などを用いたファイバロッドを、接着、溶着、バンドによる結束、その他の方法などによって、軸方向に揃えて円柱状に束ねたファイバ束から構成したものが、耐久性上及び作業性の点で好ましい。
【００１７】
塗布芯５は、上部が中間キャップ３とトップキャップ４の先端から露出した状態で中間キャップ３とトップキャップ４との間に挟み込まれて固定されている。つまり、塗布芯５は、凹部５０に中間キャップ３の先端部分が挿入されることにより、凹部５０を囲む円筒部分５１が中間キャップ３の先端の外周面とトップキャップ４の開口４０を成す内周面との間に挟まれた状態になっている。
【００１８】
図２を参照して、塗布芯５の装着と塗布ヘッド１０の組み立てを説明する。塗布芯５は、図２（ａ）（ｂ）に示すように、トップキャップ４に同軸とされた状態で、トップキャップ４の先端の開口４０に適宜の位置まで挿入される。次に、図２（ｂ）（ｃ）に示すように、塗布芯５を装着されたトップキャップ４が、中間キャップ３の上方から、互いに同軸となるように下ろされ、トップキャップ４のスナップフィット爪４１が中間キャップ３の鍔部３２に係合する。トップキャップ４と中間キャップ３とが係合固定されて、塗布ヘッド１０が完成する。図２（ｄ）に示すように、塗布ヘッド１０が容器２に組み合わされて、塗料塗布具１が完成する。
【００１９】
上述のトップキャップ４が中間キャップ３に係合するまでの間に、塗布芯５の凹部５０に中間キャップ３の先端の円筒部分３４が挿入される（図３参照）。その際、トップキャップ４から塗布芯５が抜け出ないように、トップキャップ４と塗布芯５の両方に力を加えながら、中間キャップ３に向けて押し込む。塗布芯５は、中間キャップ３の最初の拡径部を形成する段部３３に下端が突き当たる位置で、移動停止する。その停止前後の段階で、トップキャップ４と中間キャップ３が係合固定される。なお、塗布芯５の装着と塗布ヘッド１０の組み立て順序は、上述の方法に限られず、例えば、塗布芯５を中間キャップ３の先端の円筒部分３４に装着した後、トップキャップ４を、塗布芯５の上方から中間キャップ３に係合固定させるようにしてもよい。
【００２０】
次に、図３を参照して、塗布ヘッド１０の詳細構造を説明する。本実施形態において、塗布芯５はファイバ束から成り、塗布芯５の一端（下端）は中間キャップ３の開口３０を成す円筒部分３４の周囲にばらけて配置され、塗布芯５の他端側（先端側）の一部がトップキャップ４の開口４０より露出した状態に保たれている。また、塗布芯５の下端を段部３３に係止する係止構造は、塗料塗布具１の使用時に塗布芯５の先端に加わる力によって塗布芯５が開口４０の内部に押し込まれる事態を防止する。
【００２１】
トップキャップ４は、段部３３に対向する面４３との間に空間を有し、その空間に、塗布芯５の下部の円筒部分５１が収納され挟み込まれて保持されることにより、塗布芯５がトップキャップ４の先端から脱落することが防止される。
【００２２】
また、トップキャップ４の開口４０は、先端側が径大となるテーパ面４０ａを有する。このテーパ面４０ａは、中間キャップ３の先端外周面との間に、下部で狭く、上部で広い空間を形成する。従い、この空間に挟み込まれた塗布芯５は、下部を堅固に固定された上で、上部が膨潤するための十分な空間を与えられるので、塗料を含んで膨潤することができ、塗布用の十分な塗料を塗布芯５に保持しておくことができる。また、塗料は、表面張力によって、この空間に保持される。
【００２３】
また、この塗料塗布具１において、中間キャップ３の外周に先端側が径小となるテーパ面３５を有し、トップキャップ４の内周に先端側が径小となるテーパ面４４を有し、中間キャップ３にトップキャップ４が装着されたとき両テーパ面３５，４４が当接される。このようなテーパ面３５，４４は、中間キャップ３とトップキャップ４の間に挟み込まれて固定された塗布芯５から、トップキャップ４の先端側とは反対の下端側に、塗料が漏出する事態を防止することができる。このような塗料塗布具１は、垂直な壁面だけでなく、上向きに傾いた壁面や、天井などのような上方の面に対しても、手元を塗料で汚すことなく塗布作業をすることができる。
【００２４】
次に、図４、図５を参照して、塗料塗布具１の使用方法を説明する。塗料塗布具１は、タッチアップ作業に好適に使用される。塗料塗布具１は、塗料を入れる容器２と、塗布具である塗布ヘッド１０とが一体になった製品であり、作業者は容器２を片手で持って塗布作業することができる。従って、使用が簡単であり、手間と時間がかかっていたタッチアップ作業を簡素化でき、作業の標準化を図ることができる。塗料塗布具１は、例えば、窯業系サイディングの補修に使用でき、多くのメーカーの補修用塗料に対応でき、１液塗料と２液塗料の何れも使用可能である。塗料塗布具１は、例えば、１本あたり２０００打点の使用を可能とし、１現場１塗料を基本とした使い切り製品として使用することが望ましい。
【００２５】
図４（ａ）に示すように、補修用塗料が主剤９１と硬化剤９２の２液塗料の場合、塗布ヘッド１０を外し、各塗料メーカーのマニュアルに従って配合するように、容器２に各塗料剤を入れる。塗料が容器からこぼれた際は、布などでふき取る。
【００２６】
図４（ｂ）に示すように、容器２に塗料を入れた後は、塗布ヘッド１０をしっかりと閉めて塗布ヘッド１０が完全に閉まったことを確認し、上下によく振って、攪拌球６を容器２内で移動させて撹拌する。撹拌の程度は、各塗料メーカーのマニュアルに従って行う。また、塗料が飛び散る恐れがあるため、攪拌時には容器２を強く押さないようにする。
【００２７】
攪拌後に、図４（ｃ）に示すように、塗布前に塗布ヘッド１０を下に向けた状態で容器２の中央を押し、先端からに塗料が出てくるまで数回押して試し塗りを行い、所望の塗料が適切に出るか否かを確認し、不適の場合には対策を行う。試し塗りの結果が合格と判断できれば、本塗りを行う。本塗りは、サイディングの、例えば傷や固定用の釘頭などの塗布部９に、塗料塗布具１の先端の塗布芯５を当てて、前後に軽くボンボンと叩くように塗布する（図５参照）。その際に、容器２の中央を押して塗出量を調整する。塗布芯５を強く押し当てると塗布芯５が潰れる恐れがあるので力加減を適宜調整する。塗料が出なくなった場合は、塗布芯５にホコリ等がないかを確かめた上で、塗料を追加して再度容器を振って攪拌して使用する。
【００２８】
なお、本考案は、上記構成に限られることなく種々の変形が可能である。例えば、容器２は、複数種類の例えば大、中、小の３段階の容量サイズの製品を準備して、塗布ヘッド１０とは別販売としてもよい。この場合、塗布ヘッド１０は基本的に１現場１塗料が原則であるが、比較的洗浄が容易な容器２は再利用することができる。また、塗布ヘッド１０は、１回の塗布面積や塗布量または塗料の粘度や流動性に対応した複数種類の製品を準備して、ユーザの利便性を高めるようにしてもよい。塗料塗布具１が下向き姿勢時に、攪拌用の攪拌球６が液だれ防止用の弁となるように、中間キャップ３における容器２に対向する中心開口の縁部に弁座を設けてもよい。
【産業上の利用可能性】
【００２９】
塗料塗布具１は、例えば、窯業系サイディングの補修の用途に好適に適用できる。
【符号の説明】
【００３０】
１    塗料塗布具
１０    塗布ヘッド
２    容器
３    中間キャップ
３０    開口
３３    段部
３５    テーパ面
４    トップキャップ
４０    開口
４０ａ    テーパ面
４４    テーパ面
５    塗布芯
【図１】
0003218499.tif 000003
【図２】
0003218499.tif 000004
【図３】
0003218499.tif 000005
【図４】
0003218499.tif 000006
【図５】
0003218499.tif 000007